(57)【要約】【課題】混入した異物に起因する不具合を抑制可能な通路形成部材を提供する。また、このような通路形成部材によって、遊技球の搬送路を形成した遊技機島を提供する。【解決手段】遊技球を所定位置に回収するための通路形成部材１８を、上側通路形成部材２７と、下側通路形成部材２８を備えた構造とする。さらに、上側通路形成部材２７には、混入した異物を捕集するためのフィルタ部３０を設ける。また、フィルタ部３０は、通常姿勢と、通常姿勢よりも底部分が大きく開いた開放姿勢の間で姿勢変更可能とし、フィルタ部３０の上の堆積物が一定量以上となったとき、フィルタ部３０が開放姿勢に移行する構造とする。【選択図】図５
2015123208.tif 000002
【特許請求の範囲】
【請求項１】
弾球遊技機が複数並列に配置されて形成される遊技機島において、遊技球を所定位置に回収するための搬送路を形成する通路形成部材であって、
前記搬送路の上流側に位置する上側通路形成部材と、前記上側通路形成部材より下流側に位置する下側通路形成部材を有し、
前記上側通路形成部材は、少なくとも一部が前記下側通路形成部材よりも上側に位置しており、さらに、混入した異物を捕集するためのフィルタ部を備え、
前記フィルタ部の上に堆積物が一定量以上堆積した場合には、堆積物を強制的に移動させ、球詰まりを解消可能であることを特徴とする通路形成部材。
【請求項２】
弾球遊技機が複数並列に配置されて形成される遊技機島において、遊技球を所定位置に回収するための搬送路を形成する通路形成部材であって、
前記搬送路の上流側に位置する上側通路形成部材と、前記上側通路形成部材より下流側に位置する下側通路形成部材を有し、
前記上側通路形成部材は、少なくとも一部が前記下側通路形成部材よりも上側に位置しており、さらに、混入した異物を捕集するためのフィルタ部を備え、
前記フィルタ部は、通常姿勢と開放姿勢の間で姿勢変更可能であり、開放姿勢に移行することで、通常姿勢よりも底部分が大きく開いた状態となるものであって、
前記フィルタ部の上に堆積した堆積物から受ける荷重が一定以上となった場合に、前記フィルタ部が開放姿勢へと移行し、前記堆積物を下方へ移動させることが可能であることを特徴とする通路形成部材。
【請求項３】
前記フィルタ部を付勢する弾性部材を備えており、前記堆積物から受ける荷重が一定以上となった場合に、前記堆積物が前記弾性部材の付勢力に抗して前記フィルタ部を押圧し、前記開放姿勢に移行することを特徴とする請求項２に記載の通路形成部材。
【請求項４】
前記フィルタ部には、前記フィルタ部を厚さ方向に貫通する孔である遊技球通過孔が複数設けられ、当該遊技球通過孔のそれぞれの開口径は、前記遊技球の直径よりも大きくなっており、前記遊技球が前記遊技球通過孔を通過して下側へ移動可能であることを特徴とする請求項１乃至３のいずれかに記載の通路形成部材。
【請求項５】
請求項１乃至４のいずれかに記載の通路形成部材を備えていることを特徴とする遊技機島。
【請求項６】
前記フィルタ部の上に一定量以上の堆積物が堆積された場合に、内部の状況を外部に報知可能な報知手段を有することを特徴とする請求項５に記載の遊技機島。
【発明の詳細な説明】
【技術分野】
【０００１】
本発明は、弾球遊技機が複数並列して形成される遊技機島において、遊技球が搬送される搬送路を形成するための通路形成部材に関する。また、そのような通路形成部材を備えた遊技機島に関する。
【背景技術】
【０００２】
ぱちんこ機（弾球遊技機）が設置された遊技場では、一般的に、複数のぱちんこ機が並列して形成された遊技機島が設けられている。この遊技機島では、内部に遊技球を搬送するための搬送路を設けており、各ぱちんこ機に遊技球を供給したり、各ぱちんこ機から排出された遊技球を研磨装置や貯留タンク等に搬送したりしている。
【０００３】
このような遊技機島として、例えば、特許文献１に開示された遊技機島が知られている。特許文献１に開示された遊技機島では、内部に遊技球が循環する循環流路を形成し、この循環流路が貯留タンクを経由して延びる構成としている。そして、この循環流路から各ぱちんこ機に遊技球を供給すると共に、各ぱちんこ機から排出された遊技球をこの循環流路に流入させる構成となっている。
【先行技術文献】
【特許文献】
【０００４】
【特許文献１】特開２００６−６８５６号公報
【発明の概要】
【発明が解決しようとする課題】
【０００５】
ここで、遊技機島の内部に循環流路を形成した場合、この循環流路にゴミ等の異物が混入してしまう場合があった。
【０００６】
具体的に説明すると、遊技場では、一般的に、遊技機島のぱちんこ機を新しいものと交換する作業（所謂新台入替）や、既存のぱちんこ機の配置換え作業等を頻繁に実施し、新規顧客の獲得や既存顧客の囲い込みを図っている。
ところが、このような作業で、遊技機島に対してぱちんこ機を着脱する際、クギ、煙草の吸殻、ゴミ等の異物が遊技機島の内部に混入してしまう場合があった。特に、ぱちんこ機よりも下部に位置する遊技球の流通路、すなわち、ぱちんこ機から排出される遊技球を搬送するため搬送路（以下、アウトレールとも称す）にこのような異物が混入してしまう場合が多かった。
【０００７】
そして、アウトレールに異物が混入してしまうことで、異物がアウトレールを流れる遊技球と共に研磨装置や揚送装置等の内部に流れ込んでしまい、これらの機器の故障の原因となっていた。
【０００８】
そこで本発明は、上記した従来技術の問題に鑑み、内部の搬送路に混入した異物に起因する不具合を抑制可能な通路形成部材を提供することを課題とする。また、このような通路形成部材によって、遊技球の搬送路を形成した遊技機島を提供することを課題とする。
【課題を解決するための手段】
【０００９】
本発明者は、上記課題を解決すべく、異物を除去するためのフィルタ部を備えたアウトレールを試作した。
具体的に説明すると、試作したアウトレールでは、上段側に位置する遊技球の搬送路と、下段側に位置する遊技球の搬送路とを設け、２つの流路の境界となる部分にフィルタ部を配置した。フィルタ部では、遊技球の直径よりもやや大きな貫通孔を多数設けることにより、フィルタ部まで流れてきた遊技球がこの貫通孔を通過し、下段側に位置する搬送路へ流入する構成とした。
【００１０】
つまり、試作したアウトレールでは、上流側の搬送路を流れた遊技球は、フィルタ部へ到達し、フィルタ部に形成された貫通孔を通過することで下段側の搬送路へ流入する。対して、上流側の搬送路を遊技球と共に流れてきた異物は、フィルタ部に到達するものの、フィルタ部に形成された貫通孔を通過することはなく、フィルタ部上に堆積する。
【００１１】
このため、下流側の搬送路には異物が流れ込まず、遊技機島に内蔵された他の機器の内部に異物が到達することがないので、異物の混入に起因する機器の故障を防止することができる。
【００１２】
しかしながら、この試作したアウトレールでは、ごく稀に、堆積した異物と後から流れてきた遊技球が干渉してしまい、遊技球が貫通孔に入り込むことができず、フィルタ部が目詰まりしてしまう場合があった。すなわち、後から流れてきた遊技球が下段側の搬送路に流入せず、フィルタ部上に留まってしまうという問題が発生してしまった。
【００１３】
このように、遊技球がフィルタ部の上に溜まってしまうと、残留した遊技球がさらに後から流れてきた遊技球の流れを阻害し、フィルタ部の上に多くの遊技球が堆積してしまうおそれがある。つまり、遊技機島内での遊技球の流れがフィルタ部で滞ってしまう可能性がある。そして、このことは、研磨装置や揚送装置に異物が混入するよりも、さらに大きな不具合を引き起こす原因となり得る。
【００１４】
そこで、かかる知見に基づいて完成された請求項１に記載の発明は、弾球遊技機が複数並列に配置されて形成される遊技機島において、遊技球を所定位置に回収するための搬送路を形成する通路形成部材であって、前記搬送路の上流側に位置する上側通路形成部材と、前記上側通路形成部材より下流側に位置する下側通路形成部材を有し、前記上側通路形成部材は、少なくとも一部が前記下側通路形成部材よりも上側に位置しており、さらに、混入した異物を捕集するためのフィルタ部を備え、前記フィルタ部の上に堆積物が一定量以上堆積した場合には、堆積物を強制的に移動させ、球詰まりを解消可能であることを特徴とする通路形成部材である。
【００１５】
本発明の通路形成部材は、上側通路形成部材にフィルタ部を設けており、通常時における異物の下側通路形成部材への流入を防止できる。このことにより、研磨装置や揚送装置へ異物の混入を阻止できる。
さらに、フィルタ部の上に堆積物が一定量以上堆積した場合には、堆積物を強制的に移動させることが可能となっている。したがって、仮にフィルタ部が目詰まりし、フィルタ部の上に遊技球が溜まってしまった場合であっても、この遊技球を移動させることができる。つまり、フィルタ部での多量の遊技球の堆積を防止可能であるため、フィルタ部で遊技球の流れが滞ってしまうことがない。
【００１６】
請求項２に記載の発明は、弾球遊技機が複数並列に配置されて形成される遊技機島において、遊技球を所定位置に回収するための搬送路を形成する通路形成部材であって、前記搬送路の上流側に位置する上側通路形成部材と、前記上側通路形成部材より下流側に位置する下側通路形成部材を有し、前記上側通路形成部材は、少なくとも一部が前記下側通路形成部材よりも上側に位置しており、さらに、混入した異物を捕集するためのフィルタ部を備え、前記フィルタ部は、通常姿勢と開放姿勢の間で姿勢変更可能であり、開放姿勢に移行することで、通常姿勢よりも底部分が大きく開いた状態となるものであって、前記フィルタ部の上に堆積した堆積物から受ける荷重が一定以上となった場合に、前記フィルタ部が開放姿勢へと移行し、前記堆積物を下方へ移動させることが可能であることを特徴とする通路形成部材である。
【００１７】
本発明の通路形成部材でもまた、上側通路形成部材にフィルタ部を設けることにより、異物の下側通路形成部材への流入を防止可能となっている。すなわち、研磨装置や揚送装置へ異物の混入を阻止できる。
また、フィルタ部の上に堆積した堆積物から受ける荷重が一定以上となった場合に、フィルタ部が開放姿勢に移行し、底部分が大きく開いた状態となる。すなわち、簡単な構造及び動作でフィルタ部の上に堆積した堆積物を除去することが可能であり、フィルタ部で遊技球の流れの滞りを防止可能となっている。
【００１８】
請求項３に記載の発明は、前記フィルタ部を付勢する弾性部材を備えており、前記堆積物から受ける荷重が一定以上となった場合に、前記堆積物が前記弾性部材の付勢力に抗して前記フィルタ部を押圧し、前記開放姿勢に移行することを特徴とする請求項２に記載の通路形成部材である。
【００１９】
請求項４に記載の発明は、前記フィルタ部には、前記フィルタ部を厚さ方向に貫通する孔である遊技球通過孔が複数設けられ、当該遊技球通過孔のそれぞれの開口径は、前記遊技球の直径よりも大きくなっており、前記遊技球が前記遊技球通過孔を通過して下側へ移動可能であることを特徴とする請求項１乃至３のいずれかに記載の通路形成部材である。
【００２０】
これらの構成によると、フィルタ部をより簡単な構造とすることができるため、低コストでの製造が可能となる。
【００２１】
請求項５に記載の発明は、請求項１乃至４のいずれかに記載の通路形成部材を備えていることを特徴とする遊技機島である。
【００２２】
本発明の遊技機島もまた、上記した通路形成部材を備えているので、フィルタ部の下流側への異物の進入を防止できる。また、仮にフィルタ部が目詰まりしてしまっても、フィルタ部の上に堆積した遊技球を強制的に下流側へ落下させることができる。つまり、研磨装置や揚送装置への異物の混入を抑制可能であり、且つ、フィルタ部の目詰まりと共に発生し得る遊技球の滞留を防止可能となっている。
【００２３】
請求項６に記載の発明は、前記フィルタ部の上に一定量以上の堆積物が堆積された場合に、内部の状況を外部に報知可能な報知手段を有することを特徴とする請求項５に記載の遊技機島である。
【００２４】
かかる構成によると、フィルタ部の上に一定量以上の堆積物が堆積し、フィルタ部が目詰まりしてしまった場合、その旨を外部に報知することができる。このため、遊技場の従業員は、フィルタ部が目詰まりしていること、すなわち、遊技機島内への異物混入をいち早く発見できる。このことにより、異物混入に起因する重大な不具合の発生を予防することができる。つまり、遊技機島が長い時間稼動できなくなるといった状況を回避できるので、異物の混入が遊技場の営業に対して与える影響を少なくできる。
【発明の効果】
【００２５】
本発明によると、フィルタ部の下流側への異物の流入を抑制できるので、研磨装置や揚送装置等、フィルタ部の下流側に設置される機器内への異物の混入を抑制可能である。さらに、多量の遊技球がフィルタ部の上に堆積した際には、遊技球を強制的に移動させることができるので、フィルタ部の目詰まりに起因する遊技球の滞留を防止できる。
【図面の簡単な説明】
【００２６】
【図１】本発明の第１実施形態に係るアウトレールを内蔵した遊技機島を示す側面図である。
【図２】図１の遊技機島の内部構造を示す概念図である。
【図３】図２のアウトレールと異物収集容器を一部を破断させた状態で示す斜視図である。
【図４】図３とは異なる方向からみたアウトレールを示す斜視図である。
【図５】図４のアウトレールの一部を破断させて示す一部破断斜視図である。
【図６】図２のアウトレールにおける遊技球と異物の流れを示す説明図である。
【図７】図２のアウトレールにおいて、フィルタ部の姿勢変更に伴ってフィルタ部上の堆積物が落下する様子を示す説明図であり、（ａ）は、フィルタ部が通常姿勢をとっている状態を示し、（ｂ）はフィルタ部が開放姿勢をとっている状態を示す。
【図８】本発明の第２実施形態に係るアウトレールを示す斜視図である。
【図９】図８のアウトレールにおいて、フィルタ部の姿勢変更に伴ってフィルタ部上の堆積物が落下する様子を示す説明図であり、（ａ）は、フィルタ部が通常姿勢をとっている状態を示し、（ｂ）はフィルタ部が開放姿勢をとっている状態を示す。
【図１０】本発明の第３実施形態に係るアウトレールを示す斜視図である。
【図１１】図１０のアウトレールにおいて、フィルタ部の姿勢変更に伴ってフィルタ部上の堆積物が落下する様子を示す説明図であり、（ａ）は、フィルタ部が通常姿勢をとっている状態を示し、（ｂ）はフィルタ部が開放姿勢をとっている状態を示す。
【図１２】本発明の第４実施形態に係るアウトレールを示す斜視図である。
【図１３】図１２のアウトレールにおいて、フィルタ部の姿勢変更に伴ってフィルタ部上の堆積物が落下する様子を示す説明図であり、（ａ）は、フィルタ部が通常姿勢をとっている状態を示し、（ｂ）はフィルタ部が開放姿勢をとっている状態を示す。
【図１４】本発明の第５実施形態に係るアウトレールを示す斜視図である。
【発明を実施するための形態】
【００２７】
以下、本発明の各実施形態について詳細に説明するが、本発明はこれらの例に限定されるものではない。なお、以下の説明において、特に断りがない限り、上下左右前後の位置関係は、図１で示される通常の設置位置を基準に説明する。
【００２８】
第１実施形態の遊技機島１は、略直方体状の箱型構造物であり、図１で示されるように、その長尺の側面となる部分に、複数のぱちんこ機２(弾球遊技機)が並列した状態で取り付けられている。
【００２９】
遊技機島１は、図示しない骨格部材に対して各種板材を取り付けて形成されている。そして、遊技機島１の長尺の側面では、高さ方向の略中央付近に、枠状の遊技機取付部５が設けられている。この遊技機取付部５は、遊技機島１の長手方向に沿って並列するように設けられており、それぞれの遊技機取付部５にぱちんこ機２が取り付けられている。このため、ぱちんこ機２は、遊技機島１の長手方向に沿って並列した状態となっている。
【００３０】
また、それぞれのぱちんこ機２と隣接する位置に、データランプ７、玉貸機８、各台計数機９がそれぞれ設けられている。より詳細には、ぱちんこ機２の上方にデータランプ７が、ぱちんこ機２の側方に玉貸機８と各台計数機９がそれぞれ設けられている。そして、ぱちんこ機２は、上方に位置するデータランプ７、側方に位置する玉貸機８、各台計数機９のそれぞれと対応付けられている。つまり、１つのぱちんこ機２に対し、データランプ７、玉貸機８、各台計数機９がそれぞれ１つずつ対応づけられている。
【００３１】
データランプ７は、公知のそれと同様のものであり、対応するぱちんこ機２の稼働状況に係る情報を液晶画面に表示する情報表示動作と、ランプを点灯させて遊技場従業員を呼び出す呼出動作を実行可能な装置となっている。
【００３２】
玉貸機８は、公知のそれと同様のものであり、遊技者に対して遊技媒体である遊技球を貸し出すための装置である。より具体的には、遊技者による現金の投入や、遊技に使用可能な価値としての残金情報を記録した遊技者用記録媒体（所謂プリペイドカード、図示省略）を受け付け、所定量の遊技球を払い出す装置となっている。そして、玉貸機８が遊技者に遊技球を払い出すことで、玉貸機８に対応するぱちんこ機２での遊技が可能となる。
【００３３】
各台計数機９もまた、公知のそれと同様のものであり、遊技者が保有する遊技球の数を計測するための装置である。すなわち、各台計数機９に対応するぱちんこ機２で遊技する遊技者の遊技球の数を計測可能であり、計測結果を表示可能な構成となっている。
【００３４】
また、遊技機島１の内部には、図２で示されるように、島上タンク１２、補給レール１３、オーバーフローレール１４、球抜きホース１５、オーバーフローホース１６、島中タンク１７、アウトレール１８（通路形成部材）、研磨装置１９、揚送装置２０がそれぞれ設けられている。
【００３５】
島上タンク１２は、遊技機島１の長手方向の中心近傍であって、ぱちんこ機２よりも上側に取り付けられた部材であり、詳しくは後述する揚送装置２０から揚送された遊技球を一時的に貯留する貯留手段として機能する。
この島上タンク１２は、内部に貯留した遊技球を必要に応じてぱちんこ機２側に送り出す機能や、内部に一定以上の遊技球が流入した場合に遊技球を外部へ排出する機能を備えている。なお、貯留した遊技球をぱちんこ機２に送り出す際には、補給レール１３を介してぱちんこ機２に遊技球を供給している。そして、内部の遊技球が一定量以上となった場合には、主にオーバーフローレール１４を介して遊技球を外部へ排出している。
【００３６】
補給レール１３は、各ぱちんこ機２に向かって遊技球を搬送する搬送路を形成する部材であり、島上タンク１２が位置する部分から遊技機島１の長手方向の端部に向かって下り勾配となるように設けられている。より詳細には、本実施形態の遊技機島１には２つの補給レール１３が設けられており、一方が遊技機島１の長手方向における一方端側へ向かって延びており、他方が遊技機島１の長手方向における他方端側へ向かって延びている。
【００３７】
また、この補給レール１３には、延び方向の中途部分に補給シュート（図示しない）が取り付けられている。より詳細には、補給レール１３には複数の補給シュートが取り付けられており、補給レール１３の延び方向で所定間隔を空けて並列している。それぞれの補給シュートは、補給レール１３から枝分かれして延びる搬送路、すなわち、ぱちんこ機２や玉貸機８（図１参照）に遊技球を供給するための搬送路を形成する部材である。
【００３８】
オーバーフローレール１４は、補給レール１３よりもやや下方側に設けられており、補給レール１３と同様に、島上タンク１２が位置する部分から遊技機島１の長手方向の端部に向かって下り勾配となっている。このオーバーフローレール１４は、島上タンク１２の内部で一定量以上となった遊技球や、補給レール１３から溢れた遊技球を搬送する搬送路を形成するための部材である。
【００３９】
このように、補給レール１３とオーバーフローレール１４は、ぱちんこ機２よりも上方で遊技球を水平方向（横方向）に搬送するための搬送路を形成している。
【００４０】
球抜きホース１５は、遊技機島１の長手方向の端部よりの位置に配されており、遊技球を下方へ向かって搬送するための搬送路を形成している。つまり、この球抜きホース１５は、補給レール１３の下流端近傍に連結され、連結部分から垂下された状態となっており、高さ方向（上下方向）に延びる搬送路を形成している。
なお、この球抜きホース１５によって形成される搬送路は、補給レール１３上に滞留した球を強制的に排出するための搬送路であり、通常、この球抜きホース１５の内部を遊技球が流れることはない。
【００４１】
オーバーフローホース１６もまた、遊技機島１の長手方向の端部よりの位置に配されており、遊技球を下方へ向かって搬送するための搬送路を形成している。このオーバーフローホース１６は、オーバーフローレール１４の下流端近傍に連結され、オーバーフローレール１４から垂下された状態となっており、高さ方向（上下方向）に延びる搬送路を形成している。
【００４２】
島中タンク１７は、内部に遊技球を一時的に貯留可能となっており、遊技球の貯留手段として機能する部材である。この島中タンク１７は、通常のタンクの容量よりも縮小された大きさのものを採用しており、通常のタンクの容量の３分の１倍乃至２分の１倍程度の容量となっている。
ここで、本実施形態の遊技機島１は、上記したように、各台計数機９を備えた遊技機島１である。このため、内部の遊技球を賞球として外部に払い出さなくてもよく、島中タンク１７に貯留しておく遊技球の総量を少なくできる。つまり、本実施形態の遊技機島１は、容量の小さい島中タンク１７を好適に採用できる。
【００４３】
研磨装置１９は、公知のそれと同様のものであり、遊技球を研磨し、付着した汚れを除去する装置である。この研磨装置１９は、遊技機島１の長手方向の略中央となる部分の下部に配されており、研磨した遊技球を近接する揚送装置２０に搬送する機能を有している。
【００４４】
揚送装置２０は、公知のそれと同様のものであり、遊技球を上方へ向けて揚送するための装置である。
【００４５】
本実施形態の特徴的な部材であるところのアウトレール１８につき、以下で詳細に説明する。
【００４６】
アウトレール１８は、ぱちんこ機２から排出される遊技球（所謂アウト球）や、島中タンク１７から排出される遊技球を搬送するための搬送路を形成する部材である。このアウトレール１８は、ぱちんこ機２よりも低位置に配されており、遊技機島１の長手方向の端部側から研磨装置１９側へ向かって下り勾配となるように設置されている。
【００４７】
本実施形態のアウトレール１８は、図３、図４で示されるように、上下方向で２段に分かれた上側レール２７（上側通路形成部材）と下側レール２８（下側通路形成部材）を備えている。
【００４８】
上側レール２７は、上流側の搬送路形成部２９と、下流側のフィルタ部３０とが一体となって形成される構造物となっている。すなわち、上側レール２７の上流側の大部分が搬送路形成部２９となっており、下流端から上流側に向かう所定範囲に収まる部分がフィルタ部３０となっている。
【００４９】
搬送路形成部２９は、図３で示されるように、２つの側壁部３３，３３と、２つの側壁部３３，３３の下端近傍同士を接続する底板部３４とを備えている。そして、２つの側壁部３３，３３の間には、複数の仕切壁部３５が設けられている。ここで、複数の仕切壁部３５は、上側レール２７の幅方向で所定間隔を空けて並列しており、２つの側壁部３３，３３の間に形成される空間を区画している。そして、区画されたそれぞれの小さな空間が溝部３６となっており、２つの側壁部３３，３３の間では、複数の溝部３６が上側レール２７の幅方向（短手方向）に沿って並列している。
なお、図面の見易さを考慮し、以降の図面では全ての仕切壁部３５、溝部３６、遊技球通過孔４２（詳しくは後述する）に符号を付さず、一部の符号を省略している。
【００５０】
２つの側壁部３３，３３は、いずれも直立した略長方形平板状となっており、所定間隔を空けて離間対向している。
【００５１】
底板部３４は、一方の側壁部３３下端側の部分と、他方の側壁部３３の下端側の部分とを連結する略長方形平板状の部分である。
【００５２】
仕切壁部３５は、外形が直立した略長方形平板状の部分であり、底板部３４の上面から上方に突出し、上側レール２７の長手方向に沿って延びている。
【００５３】
溝部３６は、側壁部３３と仕切壁部３５の間、又は、２つの仕切壁部３５，３５の間に形成される空間であって、断面形状が略「凹」字状となっており、上側レール２７の長手方向に沿って延びている。この溝部３６は、フィルタ部３０側へ向かって遊技球が流れていく空間であり、その幅方向の長さが遊技球の直径よりもやや大きくなっている。つまり、それぞれの溝部３６の幅は、１つの遊技球が僅かな隙間を残して収まる長さとなっており、溝部３６の内部では、幅方向で２つ以上の遊技球が並列しない構造となっている。
【００５４】
フィルタ部３０は、間隔を空けて配される１対の側壁部４０，４０と、この側壁部４０のそれぞれに取り付けられた戸板状部４１を備えた構造となっている。そして、一方の側壁部４０の内側面には、開閉検知スイッチ４４が取り付けられている。
【００５５】
側壁部４０は、外形が直立した略長方形平板状であり、上側レール２７の長手方向に沿って延びている。このフィルタ部３０の側壁部４０は、搬送路形成部２９の側壁部３３と一体に連続して延びている。
【００５６】
また、側壁部４０のうちの一方には、開閉検知スイッチ４４に遊技球が衝突することを防止するための防護壁部４７が設けられている。防護壁部４７は、直立した板状の部分であり、側壁部３３の内面から内側に向かって突出している。言い換えると、側壁部３３の内面に対して傾斜する方向であり、上側レール２７（フィルタ部３０）を斜め方向に横切るように延びている。
この防護壁部４７は、開閉検知スイッチ４４から遊技球の流れ方向上流側（搬送路形成部２９側）にやや離れた位置に配されている。そして、開閉検知スイッチ４４の遊技球の流れ方向上流側を覆うように延びている。
【００５７】
戸板状部４１は、外形が略長方形平板状の部材である。この戸板状部４１には、戸板状部４１を部材厚方向に貫通する遊技球通過孔４２が多数設けられている。
【００５８】
この戸板状部４１は、図５で示されるように、側壁部４０の上端から所定距離だけ離れた位置にスプリング蝶番４３（弾性部材）を介して取り付けられており、側壁部４０に対して回動可能な状態となっている。
より詳細に説明すると、戸板状部４１は、上面が側壁部４０の内側側面に対して略垂直となる水平姿勢と、上面が傾斜した状態となる姿勢とを切替可能となっている。そして、戸板状部４１は、スプリング蝶番４３に付勢されることにより、自然状態（外力が加わらない状態）では、水平姿勢を維持することとなる。
【００５９】
遊技球通過孔４２は、開口形状が円形の貫通孔であり、遊技球通過孔４２の開口径は、遊技球の直径よりもやや大きくなっている。より具体的には、遊技球通過孔４２の開口径は、遊技球の直径の１．１倍乃至２倍程度の大きさとなっている。
【００６０】
スプリング蝶番４３は、互いに回動可能に連結された両片の間に、コイルバネ等の弾性部材を組み込んで形成された蝶番である。このスプリング蝶番４３は、両片が互いに開く方向に付勢された蝶番となっている。
【００６１】
開閉検知スイッチ４４は、方形のスイッチ本体４８と、略長方形平板状の板状検知片４９を備えており、スイッチ本体４８の下側に板状検知片４９が取り付けられている。
この開閉検知スイッチ４４では、詳しくは後述するが、板状検知片４９がスイッチ本体４８に対して回動可能に取り付けられている。そして、板状検知片４９が下方側に回動し、板状検知片４９の一部がスイッチ本体４８の下面から離反したことを条件として、外部の機器に対して信号を発信する構造となっている。
【００６２】
下側レール２８は、上側レール２７と同じく遊技球の搬送路を形成するための部材であり、間隔を空けて配される１対の側壁部５０，５０の間に、複数の突起部５１が設けられている。また、図４で示されるように、この下側レール２８の上流端側の部分は、フィルタ部３０の下側に位置している。
【００６３】
突起部５１は、下側レール２８の長手方向に沿って延びた突起であり、断面形状が略台形状であって、内部に空洞が形成されている。そして、この突起部５１の間に形成される溝部分は、遊技球が下流側に流れていくための空間となっている。
【００６４】
続いて、フィルタ部３０につき、さらに詳細に説明する。
図４で示されるように、フィルタ部３０のうちで上流側の一部分を占める領域Ａでは、１対の側壁部４０，４０と、この側壁部４０，４０の間に設けられている底板部４５によって遊技球の搬送路が形成されている。
対して、フィルタ部３０のうちで下流側の大部分を占める領域Ｂでは、下１対の側壁部４０，４０と、並列する２つの戸板状部４１によって遊技球の搬送路が形成されている。
【００６５】
つまり、フィルタ部３０では、領域Ａと領域Ｂにそれぞれ形成される搬送路が一体となり、断面形状が略「凹」字状となる遊技球の搬送路を形成している。そして、搬送路の底部分のうち、一部が底板部４５によって形成され、他の大部分が幅方向で並列する２つの戸板状部４１によって形成されている。
【００６６】
ここで、２つの戸板状部４１は、いずれも側壁部４０の上端から所定距離だけ離れた位置に取り付けられている。したがって、２つの戸板状部４１がいずれも水平姿勢である場合には、上面の高さが同一（又は略同一）となる。
【００６７】
また、図４で示されるように、戸板状部４１の短手方向の長さＬ１、２つの側壁部４０，４０の間の距離Ｌ２の２分の１程度の長さとなっている。したがって、２つの戸板状部４１が共に水平姿勢をとるとき、一方の戸板状部４１の短手方向の端部と、他方の戸板状部４１の短手方向の端部とが、いずれもフィルタ部３０の幅方向（上側レール２７の幅方向）における中心近傍に位置する。言い換えると、２つの戸板状部４１が共に水平姿勢をとるとき、この２つの戸板状部４１は、フィルタ部３０の幅方向で隙間なく（又は殆ど隙間なく）並列した状態となっている。
【００６８】
これらのことから、２つの戸板状部４１が共に水平姿勢であるとき、２つの戸板状部４１の上面は、１対の側壁部４０，４０の間に平面的な広がりを持った一体の平面を形成する。
【００６９】
なお、水平姿勢をとる２つの戸板状部４１のそれぞれの上面と、略長方形平板状の底板部４５とは、略同一の平面を形成している。つまり、フィルタ部３０の上流側の一部分を占める領域Ａと、下流側の大部分を占める領域Ｂには、段差なく（又は殆ど段差なく）連続する一連の搬送路が形成される。
【００７０】
続いて、本実施形態のフィルタ部３０の動作につき、詳細に説明する。
【００７１】
上記したように、ぱちんこ機２から排出される遊技球（所謂アウト球）や、島中タンク１７から排出される遊技球は、アウトレール１８に流入し、研磨装置１９へ向かって流れていくこととなる。
【００７２】
そして、アウトレール１８を流れる遊技球は、上側レール２７に進入した後、フィルタ部３０を経て、下側レール２８へと流入し、研磨装置１９側へと流れていく。
【００７３】
より詳細に説明すると、図６で示されるように、上側レール２７を流れる遊技球は、フィルタ部３０へと到達する。
ここで、上記したように、戸板状部４１は、スプリング蝶番４３を介して側壁部４０に回動可能に取り付けられており、自然状態（外力が加わらない状態）では、水平姿勢を維持した状態となる。つまり、スプリング蝶番４３は、戸板状部４１を常時付勢する付勢部材として機能する。
【００７４】
このため、通常時における戸板状部４１は、水平姿勢となっており、戸板状部４１の上端面又は下端面は、上側レール２７又は下側レール２８の高さ方向に対して略垂直な面となっている（図４参照）。言い換えると、戸板状部４１の厚さ方向が、この高さ方向と同方向（又は略同じ方向）となっている。したがって、戸板状部４１が水平姿勢であるとき、戸板状部４１を厚さ方向に貫通する遊技球通過孔４２は、下方側に向かって延びた状態となる。
【００７５】
このため、フィルタ部３０に到達した遊技球は、図６で示されるように、遊技球通過孔４２を通過し、下側レール２８へと落下する。そして、下側レール２８を流れていくこととなる。
【００７６】
また、上記したように、フィルタ部３０には、防護壁部４７が設けられている（図３参照）。このため、開閉検知スイッチ４４に向かって流れた遊技球は、防護壁部４７に衝突することによってその流れる方向を変え、下流側へとながれていく。このことにより、開閉検知スイッチ４４への遊技球の衝突を防止できる。
【００７７】
ところで、アウトレール１８には、遊技球の他、煙草の吸殻や釘等の異物５５が混入してしまうことがある。しかしながら、本実施形態のアウトレール１８は、フィルタ部３０によって異物５５の下側レール２８への進入を抑制可能となっている。
【００７８】
すなわち、遊技球と共に上側レール２７を流れた異物５５もまた、フィルタ部３０に到達する。フィルタ部３０では、遊技球は遊技球通過孔４２を通過して落下するが、異物５５は遊技球通過孔４２を通過せず、フィルタ部３０の上に残留することとなる。すなわち、遊技球通過孔４２の開口径は、遊技球の直径よりも僅かに大きくなっており、遊技球がぎりぎり通過可能な大きさとなっている。そのため、異物５５は遊技球通過孔４２を通過できず、下側レール２８に進入しない。
【００７９】
ここで、図３、図６で示されるように、上側レール２７の下流側には、内部に空間を有する箱体である異物収集容器５６が位置している。そして、異物収集容器５６には、内外を連通する貫通孔である異物流入口５７が設けられている。そして、この異物流入口５７の外側開口は、上側レール２７の下流端の下流側に隣接しており、２つの側壁部４０，４０の間であって戸板状部４１の上側に配されている。言い換えると、異物流入口５７は、戸板状部４１の上側に位置する空間、すなわち、フィルタ部３０の上の遊技球が流れる空間に向かって開口している。
【００８０】
より詳細には、上側レール２７の下流端と、異物収集容器５６の側面とが略垂直に交わっており、フィルタ部３０の側壁部４０や戸板状部４１と、異物収集容器５６の側面部分とが接触している。つまり、異物流入口５７が、フィルタ部３０の側壁部４０、戸板状部４１によって囲繞された空間と隣接する位置に配され、上側レール２７（フィルタ部３０）の下流端と連続した状態となっている。
【００８１】
このことから、図６で示されるように、フィルタ部３０で下側レール２８に落下しなかった異物５５は、そのままフィルタ部３０を下流側に向かって流れ、異物流入口５７を介して異物収集容器５６の内部に流入する。
【００８２】
ここで、異物流入口５７の下端部分は、戸板状部４１の上面と略同一の高さとなっている。すなわち、異物流入口５７の内周面の下側部分と、戸板状部４１の上面とが段差なく（殆ど段差なく）連続している。このため、異物５５が異物収集容器５６の内部に流入するとき、異物流入口５７付近でその流れが滞ってしまうことがなく、円滑に流入する。
加えて、異物流入口５７の開口高さは、遊技球の径よりも小さくなっている。そのため、仮に遊技球がフィルタ部３０の下端側まで到達してしまっても、異物収集容器５６の内部に遊技球が流入してしまうことがない。
【００８３】
ところで、上側レール２７に異物５５が流入すると、ごく稀に異物５５と遊技球とが干渉し、後から流れてくる遊技球の遊技球通過孔４２への流入を阻害してしまうことがある。つまり、異物５５と遊技球がフィルタ部３０の上に残留し、遊技球の流れを妨げてしまう可能性がある。
【００８４】
そして、異物５５と遊技球によって遊技球の遊技球通過孔４２への流入が妨げられると、図７（ａ）で示されるように、フィルタ部３０の上に異物５５や遊技球が堆積してしまう可能性がある。この場合、アウトレール１８を流れる遊技球がフィルタ部３０から下流側に流れなくなってしまい、遊技機島１内で遊技球が循環できなくなってしまう。
【００８５】
そこで、本実施形態のアウトレール１８では、フィルタ部３０の上に異物５５や遊技球が堆積してしまうような事態が仮に発生してしまっても、フィルタ部３０での遊技球の滞留を防止可能となっている。
【００８６】
具体的に説明すると、フィルタ部３０において、戸板状部４１の上に異物５５や遊技球が堆積していくと、これらから戸板状部４１が受ける荷重もまた、増加していく。そして、戸板状部４１の上の堆積物が一定量以上となり、戸板状部４１が上側から受ける荷重が一定上となった場合、戸板状部４１が水平姿勢から上面が傾斜した姿勢へと移行する。このことにより、フィルタ部３０は底部分が閉じた通常姿勢から、底部分が開いた開放姿勢に移行する。
【００８７】
つまり、堆積物から受ける荷重がスプリング蝶番４３の付勢力を上回った際に、戸板状部４１が回動し、戸板状部４１の上面が傾斜した状態となる。言い換えると、戸板状部４１のうち、フィルタ部３０の幅方向中心側に位置していた端部が下方側へと移動する。そして、フィルタ部３０が底抜けに開放された状態となる。
【００８８】
このため、２つの戸板状部４１が共に上面が傾斜した姿勢に移行する場合、２つの戸板状部４１が、フィルタ部３０の幅方向中心側から観音開きしていく。そして、戸板状部４１の姿勢変更に伴って、戸板状部４１の上に堆積していた遊技球を下側レール２８の上に落下させることが可能となる。このように戸板状部４１の上に堆積していた遊技球を強制的に落下させることで、フィルタ部３０での遊技球の滞留を防止可能となっている。
【００８９】
また、フィルタ部３０が開放姿勢に移行すると、図７示されるように、板状検知片４９を下側から支持していた戸板状部４１の一部が下方側に移動することとなる。このため、スイッチ本体４８に対して回動可能に取り付けられた板状検知片４９もまた、下方側に回動する。そして、スイッチ本体４８の下面と、板状検知片４９の一部が離反し、開閉検知スイッチ４４が外部の機器に対して信号を発信する。すなわち、所謂島コンピュータ（図示せず）等外部の制御機器に対して信号を発信する。この信号を受信した制御機器は、遊技場従業員が持つ端末機器や遊技機島１に取り付けられたランプ部材（図示せず）に対し、報知動作の実施を促す信号を発信する。そして、端末機器やランプ部材は、音声やブザー音等の音を発生したり、光源を特定のパターンで点滅させたりする報知動作を実施する。このことにより、遊技場従業員は、遊技機島１の外部からフィルタ部３０が目詰まりしたことを認識することができる。
【００９０】
このように、本実施形態の遊技機島１は、フィルタ部３０が開放姿勢に移行したことを検知する検知手段としての開閉検知スイッチ４４と、開閉検知スイッチ４４からの信号に基いて制御信号を生成する制御機器と、制御信号に基いて報知動作を実施する報知装置（端末機器やランプ部材）を少なくとも含む報知手段を有している。このため、フィルタ部３０が目詰まりしたという内部の状況を外部に報知可能となっている。
【００９１】
なお、本実施形態では説明を省略したが、フィルタ部３０を開放姿勢に移行させて遊技球を強制的に落下させる際、フィルタ部３０の上の異物５５もまた同時に落下してしまう。そのため、下側レール２８の途中部分や下流側に異物５５を除去するための機構をさらに設けることが好ましい。
【００９２】
続いて、上記した第１実施形態とは異なる実施形態のアウトレールにつき、それぞれ詳細に説明する。なお、上記した第１実施形態と同様の部分については、同じ符号を付して説明を省略する。また、同様の構造、動作等についても説明を省略する。
【００９３】
上記した第１実施形態では、２つの戸板状部４１がフィルタ部３０の幅方向中心側から観音開きをしていく例を示したが、本発明はこれに限るものではない。例えば、図８、図９で示される第２実施形態のアウトレール１１８（通路形成部材）のように、２つの戸板状部１４１が、フィルタ部３０の球の流れ方向の中心側から観音開きしていく構成であっても構わない。
以下、第２実施形態のアウトレール１１８につき、詳細に説明する。
【００９４】
本実施形態のアウトレール１１８では、フィルタ部１３０の底部分を形成する２つの戸板状部１４１が球の流れ方向、すなわち、上側レール１２７（上側通路形成部材）の延び方向で並列するように取付けられている。
【００９５】
この２つの戸板状部１４１もまた、スプリング蝶番４３を介して取り付けられており、上面が上側レール１２７の高さ方向に対して略垂直となる水平姿勢と、上面が傾斜した姿勢の間で切替可能となっている。
そして、スプリング蝶番４３によって常時付勢されることで、自然状態（外力が加わらない状態）では、水平姿勢を維持した状態となる。
【００９６】
ここで、戸板状部１４１のうちの一方は、フィルタ部１３０の上流側に位置する壁面に取り付けられており、他方はフィルタ部１３０の下流側に位置する壁面に取り付けられている。
【００９７】
そして、上流側に位置する壁面に取り付けられた戸板状部１４１は、短手方向（上側レール１２７の延び方向）の両端部のうち、取付面から離れた位置にある端部が、下方上流側へ向かって回動可能となっている。
対して、下流側に位置する壁面に取り付けられた戸板状部１４１は、短手方向（上側レール１２７の延び方向）の両端部のうち、取付面から離れた位置にある端部が、下方下流側へ向かって回動可能となっている。
【００９８】
このことから、２つの戸板状部１４１がそれぞれ回動することで、球の流れ方向の中心側から観音開きすることが可能となっている。
【００９９】
上記した第１実施形態のアウトレール１８では、２つの戸板状部４１がそれぞれ別途、側壁部４０に取り付けられた例を示したが、本発明はこれに限るものではない。例えば、図１０、図１１で示される第３実施形態のアウトレール２１８（通路形成部材）のように、２つの戸板状部２４１が互いに回動可能なように連結した状態で取り付けられていてもよい。
以下、第３実施形態のアウトレール２１８につき、詳細に説明する。
【０１００】
本実施形態のアウトレール２１８では、フィルタ部２３０の底部分を形成する２つの戸板状部２４１が、上側レール２２７（上側通路形成部材）の幅方向で並列するように取付けられている。
【０１０１】
このとき、それぞれの戸板状部２４１の短手方向の端部のうち、上側レール２２７の幅方向の中心側に位置する端部同士が連結されている。
より詳細には、２つの戸板状部２４１のいずれも、上側レール２２７の幅方向の中心側に位置する端部において、軸部材２４２が一体に取り付けられた状態となっている。すなわち、２つの戸板状部２４１の連結部分に軸部材２４２が設けられており、それぞれの戸板状部２４１は、軸部材２４２を回動軸として回動可能となっている。
【０１０２】
ここで、軸部材２４２は、戸板状部２４１の厚さ方向と略垂直となる方向であり、上側レール２２７の長手方向に沿って延びる略丸棒状の部材となっている。そして、軸部材２４２の長手方向の端部のうち、一方は戸板状部２４１よりも球の流れ方向上流側に位置する壁面に取り付けられており、他方は戸板状部２４１よりも球の流れ方向下流側に位置する壁面に取り付けられている。
【０１０３】
このため、戸板状部２４１の短手方向の端部のうち、側壁部４０と近接する位置にある端部は、下方側であり、側壁部４０から離れる方向に向かって回動可能となっている。
【０１０４】
ここで、２つの戸板状部２４１の連結部分であり、軸部材２４２が位置する部分の近傍には、バネ部材２４３（弾性部材）が取り付けられている。このバネ部材２４３は、２つの戸板状部２４１のそれぞれを常時付勢している。
【０１０５】
より具体的には、２つの戸板状部２４１の上面同士（又は下面同士）のなす角が略１８０度となるように、それぞれの２つの戸板状部２４１を付勢している。このため、２つの戸板状部２４１は、自然状態（外力が加わらない状態）において、上面が上側レール２２７の高さ方向に対して略垂直となる水平姿勢を維持した状態となる。
【０１０６】
そして、戸板状部２４１は、上側から受ける荷重がバネ部材２４３の付勢力を上回った場合に、上面が傾斜した姿勢に移行する。このように、戸板状部２４１が水平姿勢から姿勢変更することで、フィルタ部２３０が通常姿勢から開放姿勢へと移行する。
【０１０７】
すなわち、図１１で示されるように、フィルタ部２３０の幅方向における両端側から下方側と連通した状態となっていく。また、このとき、戸板状部２４１は、下方側と連通した部分に向かって下り勾配となるように傾斜する。そのため、戸板状部２４１の上の載置されていた堆積物は、戸板状部２４１を伝って滑り落ちていく、又は転がり落ちていくこととなる。そして、その後、下方側と連通した部分から下方側へと落下する。
【０１０８】
上記した第３実施形態では、上側レール２２７の長手方向に沿って延びる軸部材２４２を採用した例を示したが、本発明はこれに限るものではない。例えば、図１２、図１３で示される第４実施形態のアウトレール３１８（通路形成部材）のように、上側レール３２７（上側通路形成部材）の幅方向に沿って延びる軸部材３４２を採用してもよい。
以下、第４実施形態のアウトレール３１８につき、詳細に説明する。
【０１０９】
本実施形態のアウトレール３１８では、フィルタ部３３０の底部分を形成する２つの戸板状部３４１が球の流れ方向、すなわち、上側レール３２７の長手方向で並列するように取付けられている。
【０１１０】
このとき、それぞれの戸板状部３４１の短手方向は、上側レール３２７の長手方向と同じ方向となっている。そして、球の流れ方向上流側に位置する戸板状部３４１の下流側の端部と、球の流れ方向下流側に位置する戸板状部３４１の上流側の端部とが連結されている。
そして、２つの戸板状部３４１の連結部分に軸部材３４２が設けられており、それぞれの戸板状部３４１は、軸部材３４２を回動軸として回動可能となっている。
【０１１１】
ここで、軸部材３４２は、戸板状部３４１の厚さ方向と略垂直となる方向であり、上側レール３２７の幅方向に沿って延びる略丸棒状の部材となっている。そして、軸部材３４２の長手方向の両端部は、離間対向する側壁部４０にそれぞれ取り付けられている。
【０１１２】
ここで、２つの戸板状部３４１の連結部分であり、軸部材３４２が位置する部分の近傍にもまた、バネ部材２４３が取り付けられている。このバネ部材２４３は、２つの戸板状部３４１のそれぞれを常時付勢している。
【０１１３】
つまり、２つの戸板状部３４１もまた、上面が上側レール３２７の高さ方向に対して略垂直となる水平姿勢と、上面が傾斜した姿勢との間で姿勢変更が可能であり、自然状態（外力が加わらない状態）では、水平姿勢を維持した状態となる。
そして、本実施形態でも、上側から受ける荷重がバネ部材２４３の付勢力を上回った場合に、上面が傾斜した姿勢に移行する。このように、戸板状部３４１が水平姿勢から姿勢変更することで、フィルタ部３３０が通常姿勢から開放姿勢へと移行する。
【０１１４】
本実施形態では、図１３で示されるように、フィルタ部３３０のうち、上側レール３２７の長手方向における両端に位置する部分から、下方側と連通した状態となっていく。この場合も、戸板状部３４１は、下方側と連通した部分に向かって下り勾配となるように傾斜する。
【０１１５】
上記した第１実施形態では、スプリング蝶番４３によって戸板状部４１を下側から付勢した。しかしながら、本発明はこれに限るものではなく、例えば、図１４で示される第５実施形態のアウトレール４１８（通路形成部材）のように、戸板状部４１の上側にコイルバネ４４３（弾性部材）を設けてもよい。すなわち、戸板状部４１を下方側から押圧する付勢部材に限らず、戸板状部４１に上側から引き上げ方向の荷重を作用させる付勢部材を設けてもよい。
【０１１６】
第５実施形態では、戸板状部４１が通常の蝶番（図示せず）によって、側壁部４０に回動可能に取り付けられている。すなわち、上記した第１実施形態の戸板状部４１と同様の動作が可能となっている。
さらに、第５実施形態では、戸板状部４１の上側にコイルバネ４４３が設けられている。そして、コイルバネ４４３の一方端が側壁部４０に固定されており、他方端が戸板状部４１の上側面に固定されている。
【０１１７】
そのため、戸板状部４１が堆積物から受ける荷重が、コイルバネ４４３の引き上げ荷重を回った場合に、戸板状部４１の姿勢が上面が傾斜した姿勢に移行する。このように、戸板状部４１が姿勢変更することで、フィルタ部４３０が通常姿勢から開放姿勢へと移行する。
【０１１８】
なお、図１４で示されるように、戸板状部４１の上側面のうち、コイルバネ４４３の端部が位置する部分の球の流れ方向上流側には、遊技球通過孔４２を配している。このことにより、コイルバネ４４３の端部に向かって遊技球が流れてきても、遊技球通過孔４２から下方へ落下するので、遊技球のコイルバネ４４３への衝突を抑制できる。したがって、遊技球がコイルバネ４４３に接触することに起因する、遊技球の流れの滞りを抑制できる。
【０１１９】
上記した各実施形態において、直立した略長方形平板状の側壁部４０を採用した例を示したが、本発明はこれに限るものではない。例えば、側壁部は、その上端部分が上側レールの幅方向における外側に向かって屈曲したものであってもよい。すなわち、側壁部は、アウトレールの幅方向の端部側から遊技球のこぼれ落ちを防止できればよい。
【０１２０】
上記した各実施形態では、上側レールの下端部側の部分にフィルタ部を設けたが、本発明はこれに限るものではなく、上側レールの中途部分にフィルタ部を設けてもよい。すなわち、上側レールの下端から上流側に離れた位置に、フィルタ部の下流端が位置していてもよい。
【０１２１】
上記した各実施形態では、異物流入口５７の内周面の下側部分と、戸板状部４１の上面とが段差なく（殆ど段差なく）したが、本発明はこれに限るものではない。例えば、異物流入口５７の内周面の下側部分は、戸板状部４１の上面よりもやや下方側に位置していてもよい。
【０１２２】
上記した第１実施形態では、戸板状部４１の回動に伴って開閉検知スイッチ４４の板状検知片４９が回動する構造とし、フィルタ部３０が開放姿勢に移行したことを検知する例を示した。すなわち、外部の従業員に対してフィルタ部３０が開放姿勢となった旨を報知した。
しかしながら、本発明はこれに限るものではなく、例えば、遊技機島の内壁にセンサを設け、フィルタ部３０の上に堆積された堆積物が一定以上の高さとなった場合に、報知動作を実施してもよい。
【０１２３】
すなわち、スイッチやセンサ等の検知手段は、必ずしもフィルタ部に取り付ける必要はなく、遊技機島の内壁に固定してもよい。
また、フィルタ部３０が開放姿勢に移行する前に、報知動作を実施してもよい。つまり、近い将来にフィルタ部３０が開放姿勢に移行することが予測される場合に、報知動作を実施してもよい。
【０１２４】
言い換えると、報知動作はフィルタ部３０が開放姿勢に移行したと同時に実施してもよく、開放姿勢に移行する前や後に実施してもよい。
【符号の説明】
【０１２５】
１    遊技機島
２    ぱちんこ機(弾球遊技機)
１８，１１８，２１８，３１８，４１８    アウトレール（通路形成部材）
２７，１２７，２２７，３２７    上側レール（上側通路形成部材）
２８    下側レール（下側通路形成部材）
３０，１３０，２３０，３３０，４３０    フィルタ部
４２    遊技球通過孔
４３    スプリング蝶番（弾性部材）
４４    開閉検知スイッチ
２４３    バネ部材（弾性部材）
４４３    コイルバネ（弾性部材）
【図１】
2015123208.tif 000003
【図２】
2015123208.tif 000004
【図３】
2015123208.tif 000005
【図４】
2015123208.tif 000006
【図５】
2015123208.tif 000007
【図６】
2015123208.tif 000008
【図７】
2015123208.tif 000009
【図８】
2015123208.tif 000010
【図９】
2015123208.tif 000011
【図１０】
2015123208.tif 000012
【図１１】
2015123208.tif 000013
【図１２】
2015123208.tif 000014
【図１３】
2015123208.tif 000015
【図１４】
2015123208.tif 000016